(57)【要約】【課題】瞬間式の熱交換器を用いた衛生洗浄装置において、洗浄開始時に熱交換器の熱が大気に放熱することで冷えてしまうため、洗浄初期時に所望温度の洗浄水が十分な流量で使用できなかった。【解決手段】洗浄水を供給する給水路と、給水路と連通し給水路から供給された水を電気ヒータにより加熱する瞬間式の熱交換器と、熱交換器と連通し熱交換器により所定の温度に加熱された洗浄水を噴出する洗浄ノズルと、電気ヒータへの通電を制御する通電制御手段を有する衛生洗浄装置において、通電制御手段は電気ヒータへ周期的に通電を行うことで、使用者が洗浄を行う前に、電気ヒータと熱交換器内に供給された水を所定温度に加熱しておくことができるので、簡単な制御で洗浄初期時から所望の温度の洗浄水を供給することができる。【選択図】　図４
2004052353.tif 000002
【特許請求の範囲】
【請求項１】
洗浄水の供給を制御する給水制御手段と、洗浄水を電気ヒータにより加熱する瞬間式の熱交換器と、洗浄水を吐出する洗浄ノズルと、前記電気ヒータへの通電を制御する通電制御手段を有する衛生洗浄装置において、前記通電制御手段は前記電気ヒータへ周期的な通電を行うことで、電気ヒータを発熱せしめる衛生洗浄装置。
【請求項２】
該装置への人体接近もしくは該装置の使用を検知する人体検知手段を有し、前記人体検知手段が人体を検知している間のみ周期的な通電を行う請求項１に記載の衛生洗浄装置。
【請求項３】
通電制御手段が電気ヒータへ周期的な通電を行う間は、給水制御手段は洗浄水を供給しない請求項１または請求項２に記載の衛生洗浄装置。
【請求項４】
人体検知手段からの信号に連動して、通電制御手段は、一旦電気ヒータへの通電を行い、電気ヒータを所定温度まで発熱せしめる請求項１から３のいずれか１項記載の衛生洗浄装置。
【請求項５】
人体検知手段からの信号に連動して、通電制御手段が、一旦電気ヒータへの通電を行う間は、給水路から洗浄水を供給する請求項４記載の衛生洗浄装置。
【請求項６】
熱交換器下流に、洗浄水の温度の変動を、洗浄水同士の熱のやり取りによって補償する温度補償手段を設けた請求項１から５のいずれか１項記載の衛生洗浄装置。
【請求項７】
洗浄ノズルは進退自在に設けられ、その進出動作を水圧駆動式とした請求項１から６のいずれか１項記載の衛生洗浄装置。
【請求項８】
熱交換器と連通し、洗浄ノズルを洗浄できる位置に前記熱交換器によって加熱された水を排水する排水路と、前記洗浄ノズルと前記排水路への通水を切りかえる流路変更手段とを有し、前記流路変更手段は前記洗浄ノズルへの通水を行う前に前記排水路へ通水を行う請求項１から７のいずれか１項記載の衛生洗浄装置。
【発明の詳細な説明】
【０００１】
【発明の属する技術分野】
この発明は、熱交換器に特徴を有する衛生洗浄装置に関するものである。
【０００２】
【従来の技術】
従来のこの種の人体洗浄装置には図６に示すようなものがある。
【０００３】
図６は洗浄水の供給系を示す概略図である。図６において、洗浄水を供給する給水路１は止水手段としての止水電磁弁２を経て、熱交換器３へと接続される。熱交換器３は、内部に給水路１から供給された洗浄水を貯留する構成になっている。熱交換器３には電気ヒータ４と、熱交換器３内部に滞留する洗浄水の水温を検知するサーミスタ５が設けられており、熱交換器３内部に貯留する洗浄水を電気ヒータ４によって加熱する。また、熱交換器３の下流側には洗浄ノズル６が接続されている。そして、洗浄ノズル６から人体局部に、電気ヒータ４によって所望の温度に加熱された洗浄水が吐出する構成になっている。
【０００４】
図７は電気ヒータへの通電を制御する制御手段７（通電制御手段）による温度制御を示した図である。まず、使用者が便座（図示せず）に着座すると、便座への荷重を検知する着座検知手段（図示せず）によって、制御手段７へ人体が着座したことを知らせる信号が送られる。そして、制御手段７は電気ヒータ４への通電を開始する（ｔ１）。電気ヒータ４への通電により熱交換器３内部の水温が所定温度Ｔａに達したことをサーミスタ５が検知すると、電気ヒータ４への通電を停止する（ｔ２）。そして、大気への放熱により熱交換器３内の水温が所定温度Ｔｂ以下になったことをサーミスタ５が検知すると、制御手段７は再び電気ヒータ４への通電を再開する（ｔ３）。以上の制御を使用者が洗浄を開始するまで繰り返すことで熱交換器３内に滞留する洗浄水の水温が所定温度に加熱されるため、洗浄開始時から所望の温度の洗浄水が人体局部に吐出される（ｔ４）。
【０００５】
以上の構成の衛生洗浄装置は貯湯式と呼ばれているが、他に瞬間式と呼ばれる構成がある。これは、熱交換器３内部の容量を小さくし、洗浄に使用する分だけの洗浄水を給水路１から供給し、それを電気ヒータ４で瞬間的に加熱し、洗浄ノズル６から人体局部に所望の温度の洗浄水を吐出することで、余分な洗浄水を加熱する必要がないため、省エネルギーで、省スペースかつ湯切れがないものである。
【０００６】
【発明が解決しようとする課題】
上記従来の発明において、瞬間式の構成で貯湯式の温度制御を行い洗浄初期から所望の温度の洗浄水を供給しようとすると、瞬間式の場合供給された洗浄水を瞬時に加熱する必要があるため、熱交換器内の流路は細くする必要があり、そのため熱交換器内の流路に滞留する洗浄水の対流が起こりにくく、水温が均一にならないので、サーミスタで熱交換器内部の水温検知が困難であるという問題があった。また、サーミスタにより、熱交換器内部に滞留する洗浄水の水温の上限と下限を検知し、それに対応して電気ヒータへの通電のＯＮ−ＯＦＦを繰り返すという複雑な制御を必要としていた。
【０００７】
そのため、これまでの瞬間式の衛生洗浄装置では、使用者の接近を検知する人体検知手段を設け、人体検知手段からの信号により、人体の接近あるいは着座を検知し、その段階で電気ヒータに通電を行い、洗浄前に電気ヒータと熱交換器内部に供給された洗浄水を加熱しておくことで、洗浄開始初期から所望の温度の洗浄水を供給する構成にしていた。しかし、その場合でも、使用者が衛生洗浄装置に接近あるいは着座してから実際に洗浄を開始するまでの時間が長時間に渡る場合や寒冷地などでは、洗浄を開始する前に電気ヒータや熱交換器内部に供給された洗浄水が放熱によって冷めてしまうため、冷たい水が人体局部に供給される、あるいは電気ヒータが熱交換を行うのに十分な温度まで加熱されるまでは洗浄に使用する洗浄水の流量を減らす必要があるなどの問題点があった。
【０００８】
本発明は、上記課題を解決するもので、瞬間式の衛生洗浄装置において、簡単な制御で、使用者が洗浄を行う前に電気ヒータと熱交換器内に供給された洗浄水を所定温度に加熱しておくことで、洗浄開始直後から所望の温度の洗浄水を十分に使用できることを目的としている。
【０００９】
【課題を解決するための手段】
上記従来の課題を解決するために、本発明の衛生洗浄装置は、洗浄水の供給を制御する給水制御手段と、洗浄水を電気ヒータにより加熱する瞬間式の熱交換器と、洗浄水を吐出する洗浄ノズルと、前記電気ヒータへの通電を制御する通電制御手段を有する衛生洗浄装置において、前記通電制御手段は前記電気ヒータへ周期的な通電を行うことで、電気ヒータを発熱せしめるものである。
【００１０】
そして、複雑な制御を必要とせずに、使用者が洗浄を行う前に、電気ヒータと熱交換器内に供給された洗浄水を所定温度に加熱しておくことで、洗浄開始直後から電気ヒータと熱交換器内部に供給される洗浄水との熱交換を十分に行うことができ、さらに、熱交換器内に供給された洗浄水も加熱されているため、洗浄開始直後から所望の温度の洗浄水を十分に使用できる。
【００１１】
【発明の実施の形態】
請求項１記載の衛生洗浄装置は、洗浄水の供給を制御する給水制御手段と、洗浄水を電気ヒータにより加熱する瞬間式の熱交換器と、洗浄水を吐出する洗浄ノズルと、前記電気ヒータへの通電を制御する通電制御手段を有する衛生洗浄装置において、前記通電制御手段は前記電気ヒータへ周期的な通電を行うことで、電気ヒータを発熱せしめるものである。
【００１２】
請求項１記載の衛生洗浄装置によれば、使用者が洗浄を行う前に電気ヒータと熱交換器内に供給された洗浄水を所定温度に加熱しておくことで、洗浄開始直後から電気ヒータと熱交換器内部に供給される洗浄水との熱交換を十分に行うことができ、さらに、熱交換器内に供給された水も加熱されているため、洗浄開始直後から所望の温度の洗浄水を十分に使用できる。
【００１３】
請求項２記載の衛生洗浄装置は、該装置への人体接近もしくは該装置の使用を検知する人体検知手段を有し、前記人体検知手段が人体を検知している間のみ周期的な通電を行うものである。
【００１４】
請求項２記載の衛生洗浄装置によれば、請求項１と同様な効果のほか、人体を検知していない間は周期的な通電を行わないため、無駄な加熱を行わないことで、省エネルギーを図ることができる。
【００１５】
請求項３記載の衛生洗浄装置は、通電制御手段が電気ヒータへ周期的な通電を行う間は、給水制御手段は新たな洗浄水を供給しないものである。
【００１６】
請求項３記載の衛生洗浄装置によれば、請求項１または請求項２と同様な効果のほか、電気ヒータへの周期的な通電により加熱された熱交換器内部に滞留する洗浄水を捨てることがなく、また、電気ヒータが新たに供給された洗浄水により冷やされることがないため効率的である。
【００１７】
請求項４記載の衛生洗浄装置は、人体検知手段からの信号に連動して、通電制御手段は、一旦電気ヒータへの通電を行い、電気ヒータを所定温度まで発熱せしめるものである。
【００１８】
請求項４記載の衛生洗浄装置によれば、請求項１、請求項２または請求項３と同様な効果のほか、周期的な電気ヒータへの通電を行う前に、電気ヒータと熱交換器内部の洗浄水を所定温度まで加熱することで、給水路から供給される水道水の水温によらずに、電気ヒータと熱交換器内に滞留する洗浄水の温度を所定温度に保つのみの制御ですむため、電気ヒータへの周期的な通電制御が単純化される。
【００１９】
請求項５記載の衛生洗浄装置は、人体検知手段からの信号に連動して、通電制御手段が、一旦電気ヒータへの通電を行う間は、給水路から洗浄水を供給するものである。
【００２０】
請求項５記載の衛生洗浄装置によれば、請求項４と同様な効果のほか、使用者が洗浄を開始する前に電気ヒータによって加熱された洗浄水が洗浄ノズルまで流れるため、熱交換器から洗浄ノズルまでの流路に滞留する洗浄水を所定温度に加熱された洗浄水と入れかえることができるので、洗浄開始直後から洗浄ノズルより所望の温度の洗浄水を吐出することができる。
【００２１】
請求項６記載の衛生洗浄装置は、熱交換器下流に、洗浄水の温度の変動を、洗浄水同士の熱のやり取りによって補償する温度補償手段を設けたものである。
【００２２】
請求項６記載の衛生洗浄装置によれば、請求項１、請求項２、請求項３、請求項４または請求項５と同様な効果のほか、熱交換器に供給される洗浄水の水温や、周期的な通電による熱交換器の熱量または熱交換器の制御遅れなどに起因する温度変動などに依存することなく、洗浄水の温度を補償することができ、洗浄ノズルから吐出される洗浄水の温度を一定にすることができる。また、洗浄水同士の熱のやり取りによって温度を補償するため、特別な冷却手段や加熱手段を必要としない。
【００２３】
請求項７記載の衛生洗浄装置は、洗浄ノズルは進退自在に設けられ、その進出動作を水圧駆動式としたものである。
【００２４】
請求項７記載の衛生洗浄装置によれば、請求項１、請求項２、請求項３、請求項４、請求項５または請求項６と同様な効果のほか、モータなどの駆動手段が不要となり構造の簡素化と低コスト化が図れる。また、洗浄初期時から所望の温度の洗浄水が十分な流量で使用することができるので、ノズルの進出をスムーズに行うことができる。さらに、水圧駆動式のノズルを温度補償手段として用いることにより、特別な温度補償手段を設ける必要がないため、省スペース化を図ることができる。
【００２５】
請求項８記載の衛生洗浄装置は、熱交換器と連通し、洗浄ノズルを洗浄できる位置に前記熱交換器によって加熱された水を排水する排水路と、前記洗浄ノズルと前記排水路への通水を切りかえる流路変更手段とを有し、前記流路変更手段は前記洗浄ノズルへの通水を行う前に前記排水路へ通水を行うものである。
【００２６】
請求項８記載の衛生洗浄装置によれば、請求項１、請求項２、請求項３、請求項４、請求項５、請求項６または請求項７と同様な効果のほか、洗浄を開始する前に洗浄ノズルを洗い流すことで、使用者は快適に衛生洗浄装置を使用できる。また、通水初期時から電気ヒータで所定の温度に加熱された水が十分な水量で使用できるので、洗浄効果が高い。
【００２７】
【実施例】
この発明の実施の形態を図１から図３により説明する。
【００２８】
図１は本発明の実施例を示す人体洗浄装置の概略構成図である。洗浄水を供給する給水路８は止水手段としての止水電磁弁９および流量センサー１０を経て、熱交換器１１へと接続される。
【００２９】
図２は熱交換器１１の一部断面図を表す。熱交換器１１は内部に加熱流路１２を備えるとともに、加熱手段である電気ヒータ１３が近接して設けてある。なお、加熱流路１２の電気ヒータ１３と接する面は、電気ヒータ１３からの熱が効率よく加熱流路１２内の洗浄水へ伝達するように熱伝導に優れた材料、本実施例では銅板で形成し、さらには加熱流路１２は電気ヒータ１３との接触面積を拡大するため、複数の屈曲点を有する波形の形状としてある。これらことにより、洗浄に使用する量を所望温度にして保持する貯湯タンクを必要としないため、装置の小型化を図ることができると共に、湯切れがなく、かつ省エネルギーを図ることができる。なお本実施例においては、電気ヒータ１３は熱密度に優れた板状のセラミックヒータを用いたが、シーズヒータやマイカヒータ等、様々な応用が考えられる。
【００３０】
そして、加熱流路１２の下流側には洗浄水温検知手段としての出湯温度検出手段１４が設けられ、さらには流量調節弁１５を介して水圧駆動方式のノズルユニット１６と排水路１７が接続されている。流量調節弁１５は、洗浄水の流量を調節するほかに、ノズルユニット１６と、排水路１７への通水を切りかえる流路切り換え弁としての働きも持つ。なお、排水路１７は、排水路１７への通水によって、ノズルユニット１６を洗い流せる位置に設けられている。なお、流量調節弁１５にはモータ１８が固設されており、モータ１８によって回転駆動される構成となっている。
【００３１】
図３はノズルユニット１６の詳細図であり、本実施例では、構造の簡素化と低コスト化を図るために、モータなどの駆動手段を必要としない水圧駆動方式を用いている。ノズルシリンダ１９は、可動ノズル２０の移動方向に段部２１を有し、可動ノズル２０はノズルシリンダ１９内を所定位置に移動して段部２１に密着するシール部２２を有している。また内部流路２３はノズルシリンダ１９内を通してノズルシリンダ１９の端部に形成した給水口２４に連通するように可動ノズル２０の後端２５に開口を形成している。またノズルシリンダ１９内の可動ノズル突出側端部と可動ノズル２０の後端部間で可動ノズル２０に外嵌したコイルばねを用いた弾性部材２６を介在して可動ノズル２０を後退位置である給水口２４に接近する方向に付勢している。
【００３２】
図３の状態で給水口２４よりノズルシリンダ１９内に給水されるとき、内部流路２３より噴出口２７から流出すると同時に、水圧が低いときは可動ノズル２０の外周面とノズルシリンダ１９の内周面との間に形成されたクリアランス２９、２９を通して矢印のように水が流れ出し、可動ノズル２０の周面に沿って先端に流れ、可動ノズル２０は進出しない。そして、給水口２４から送られてくる給水圧が高いときはノズルシリンダ１９内の可動ノズル２０の後端部の水圧が弾性部材２６の弾性よりも大きくなり、水圧で可動ノズル２０を弾性部材２６の弾性に抗して押動して可動ノズル２０をノズルシリンダ１９より押し出し、段部２０にシール部２２が密着する。この結果、シール部２２により給水口２４からクリアランス２９側に流れるのを防止される。そのため、内部流路２３を通して噴出口２７のみから噴出することとなる。このようにして、水圧により後退位置から洗浄位置まで可動ノズル２０が進出されるように構成されている。
【００３３】
ここで、可動ノズル２０が進出した時にできるノズルシリンダ１９内のスペースが、温度補償手段を兼ねている。この温度補償手段（ノズルシリンダ１９内のスペース）に給水口２４から洗浄水が流入すると、図３の矢印Ａで示すように、渦が生じ、内部に貯留していた洗浄水と混合される。この結果、給水口２４から流入した洗浄水の温度変動が抑制され、噴出口２７からと出される洗浄水の温度がほぼ一定になる。この場合、洗浄水同士の熱のやり取りによって温度を補償するため、特別な冷却手段や加熱手段を必要としない。また、可動ノズル２０が進出した時にできるノズルシリンダ１９内のスペースを温度補償手段として用いることにより、特別な温度補償手段を設ける必要がないため、省スペース化を図ることができる。
【００３４】
そして、洗浄を終了させるために給水手段である止水電磁弁９を閉じることにより、ノズルシリンダ１９内の圧力が低下し、弾性部材２６の弾性によって稼動ノズル２０が洗浄位置から後退位置に収納される。
【００３５】
また、制御手段３０は流量センサー１０、出湯温度検出手段１４および使用者の着座を便座（図示せず）への荷重により検知する人体検出手段（図示せず）からそれぞれの信号を読み込み、また、止水電磁弁９、電気ヒータ１３、流量調節弁１５に固設したモータ１８等を電気的な信号によって制御する。さらに、制御手段３０は入力手段としての洗浄スイッチや停止スイッチおよび流量可変スイッチ等を備えたリモコン（図示せず）と赤外線を利用して信号のやり取りを行っており、使用者からの指示はリモコンに設けた複数の入力スイッチによってなされる。
【００３６】
上記構成において、本実施例の動作を図３を用いて説明する。
【００３７】
まず、使用者が便座（図示せず）に着座すると着座による荷重を人体検出手段（図示せず）が検知し、制御手段３０に信号を送る。制御手段３０では、人体検出手段からの信号に応じて、給水手段である止水電磁弁９を開放させ、電気ヒータ１３に通電を行う。この際、流量調節弁１５により、ノズルユニット１６への給水量を少なくすることで、ノズルシリンダ１９内の圧力を低水圧のまま流すことができるため、ノズルが進出することがない。そして、出湯温度検知手段１４が所定温度Ｔａを検知すると、制御手段３０は止水電磁弁９を閉止させ、電気ヒータ１３への通電を停止させる（ｔ１）。この制御ｔ１により、電気ヒータによって加熱された洗浄水が洗浄ノズルまで流れるため、熱交換器から洗浄ノズルまでの流路に滞留する洗浄水を所定温度に加熱された洗浄水と入れかえることができるので、洗浄開始直後から洗浄ノズルから所望の温度の洗浄水を吐出することができる。
【００３８】
次に、制御手段３０は電気ヒータ１３に周期的な通電を行う。この周期的な通電により、使用者が洗浄を開始するまで電気ヒータ１３と加熱流路１１内に滞留する洗浄水を所定温度に加熱しておくものである。ここで、周期的な通電を行う際は、止水電磁弁９を閉止させ、熱交換器１１に洗浄水を供給しないことで、周期的な通電により加熱された加熱流路１２内に滞留する洗浄水を捨てることがなく、また、電気ヒータ１３が新たに供給された洗浄水により冷やされることがないため効率的である。また、制御ｔ１で、電気ヒータ１３と加熱流路１２内に滞留する洗浄水を所定の温度まで加熱しているため、給水路８から供給される水道水の水温に関わらず、電気ヒータ１３と加熱流路１２内に滞留する洗浄水の温度を所定温度に保つ制御ですむため、電気ヒータ１３への周期的な通電制御が単純化される。
【００３９】
ここで、電気ヒータ１３への通電時間ｔｏｎは、加熱流路１２内に滞留する洗浄水が、加熱により沸騰しない範囲の時間に設定する必要がある。これは、加熱流路１２内に滞留する洗浄水が沸騰して蒸発すると、加熱流路１２内に空気が滞留するため、電気ヒータ１３の温度分布に差が生じるので、電気ヒータ１３が破壊してしまう恐れがあるためである。具体的には、電気ヒータへの通電を１０００Ｗとし、加熱流路１２の容積を１７ｍｌとすると、加熱流路１２への洗浄水の供給を行わない状態では、約３秒で沸騰を始める。よって、この場合は電気ヒータ１３への通電時間ｔｏｎを３秒以内とする必要がある。
【００４０】
また、通電周期（ｔｏｎ＋ｔｏｆｆ）は図３のように加熱流路１２内に滞留する洗浄水の水温がほぼ一定になる時間に設定する必要がある。これは、周期が短すぎると、図４のように加熱流路１２に滞留する洗浄水から大気へ放熱される熱量よりも、電気ヒータ１３によって加熱される熱量の方が大きくなり、加熱流路１２内に滞留する洗浄水の水温が所望の温度よりも高くなるため、高温の洗浄水が噴出口２７より吐出されてしまい、使用者がやけどを負う危険性があるからである。また、逆に通電周期が長すぎると、加熱流路１２内に滞留する洗浄水から大気へ放熱される熱量の方が、電気ヒータ１３によって加熱される熱量よりも大きくなり、加熱流路１２内に滞留する洗浄水の水温が所望の温度よりも低くなるため、周期的な通電による効果が減少してしまう。具体的には、電気ヒータへの通電を１０００Ｗ、加熱流路１２の容積を１７ｍｌとし、周期的な通電時間を０．５秒とすると、気温が３０℃と高く、加熱流路１２に供給される水道水の温度が３０℃と高い場合は、通電周期を３０秒以下とすると、図４のように加熱流路１２内に滞留する洗浄水の水温が過剰に上昇してしまう。また、気温が５℃と低く、加熱流路１２に供給される水道水の温度が５℃と低い場合は、通電周期を２分以上とすると洗浄水の水温が徐々に降下していき、周期的な通電による効果が減少してしまう。よって、この場合は、通電周期を３０秒以上２分以内とする必要がある。
【００４１】
ここで、この周期的な通電（ｔｏｎ、ｔｏｆｆ）を、人体検出手段が使用者の着座を検知している間のみ行うことにより、人体を検知していない間は周期的な通電を行わないため、無駄な加熱を行わないことで、省エネルギーを図ることができる。
【００４２】
そして、使用者がリモコン（図示せず）に設けた洗浄スイッチを押すことにより、止水電磁弁９が開放され、給水路８から洗浄水が供給される。供給された洗浄水は流量センサー１０を経て、熱交換器１１内の加熱流路１２へと流入する。このとき、制御手段３０は使用者からの洗浄開始信号の入力に連動して電気ヒータ１３の通電を開始する。そして、電気ヒータ１３に通電が開始されると、加熱流路１２を流れる洗浄水は電気ヒータ１３からの熱を吸収し次第に加熱される。ここで、本実施例では、使用者が洗浄を行う前に制御手段３０が電気ヒータ１３に周期的な通電を行うことで、電気ヒータ１３と加熱流路１２内に滞留する洗浄水を所定温度に加熱しておく構成にしている。そのため、寒冷地など気温が低い地域で利用しても、洗浄開始直後から電気ヒータ１３と熱交換器１１内部に供給される洗浄水との熱交換を十分に行うことができ、さらに、熱交換器１１内に供給された洗浄水も加熱されているため、洗浄開始直後から所望の温度の洗浄水を十分に使用できる。
【００４３】
そして、加熱流路１２を経た洗浄水は、制御手段３０が流量調節弁（流路切り換え弁）１５を排水路１７側に所定時間切り替えることで、排水路１７から排水される。排水路１７はノズルユニット１６を洗い流せる位置に設けられているため、洗浄を開始する前にノズルユニット１６を洗い流すことで、使用者は快適に衛生洗浄装置を使用できる。また、通水初期時から電気ヒータ１３で所定の温度に加熱された洗浄水が十分な水量で使用できるので、洗浄効果が高い（ｔ３）。
【００４４】
そして、制御手段３０が流量調節弁１５をノズルユニット１６側に切り替えることで、可動ノズル２０が洗浄位置まで進出し、人体局部への洗浄が開始される。ここで、本実施例の構成では、洗浄初期時から所望の温度の洗浄水が十分な流量で使用することができるので、ノズルの進出をスムーズに行うことができる。さらに、洗浄初期時から所望の温度の洗浄水が噴出口２７から吐出されるため、寒冷地などで使用しても、人体局部に冷たい水が当ることがないので、使用者が不快感を感じることがない。
【００４５】
洗浄中は、熱交換器１１によって加熱された洗浄水が、出湯温度検出手段１４へ至ることで洗浄水の水温が検知され、信号は制御手段３０へとフィードバックされる。制御手段３０はフィードバックされた値とリモコンから入力された設定温度を比較演算することで、電気ヒータ１３の通電量を可変し、使用者にとって最適温度の洗浄水を供給するわけである。そして、さらに洗浄水は流量調節弁１５に至り、ここで、リモコンに設けた流量可変スイッチにて指示された流量に見合うようその流量が絞られる。ここで温度、流量ともに設定どおりとなった洗浄水が人体局部に吐出される。
【００４６】
【発明の効果】
以上のように本発明によれば、瞬間式の衛生洗浄装置において、簡単な制御で、使用者が洗浄を開始する前に電気ヒータと熱交換器内に供給された洗浄水を所定温度に加熱しておくことで、洗浄開始直後から電気ヒータと熱交換器内部の洗浄水との熱交換を十分に行うことができ、さらに、熱交換器内に供給された洗浄水も加熱されているため、洗浄開始直後から所望の温度の洗浄水を十分に使用できる。
【図面の簡単な説明】
【図１】本発明の実施例における衛生洗浄装置の概略構成図
【図２】同洗浄装置の熱交換器（加熱手段）を表す斜視図
【図３】同洗浄装置のノズルユニットの概略構成図
【図４】同洗浄装置の制御を示す図
【図５】同洗浄装置において過剰な加熱が行われた場合を示す図
【図６】従来の貯湯式の衛生洗浄装置の概略構成図
【図７】同洗浄装置の制御を示す図
【符号の説明】
８　給水路
１１　熱交換器
１３　電気ヒータ
１４ａ　雰囲気温度検出手段
１５　流量調節弁（流路変更手段）
１６　ノズルユニット（洗浄ノズル）
１７　排水路
３０　制御手段（通電制御手段）
【図１】
2004052353.tif 000003
【図２】
2004052353.tif 000004
【図３】
2004052353.tif 000005
【図４】
2004052353.tif 000006
【図５】
2004052353.tif 000007
【図６】
2004052353.tif 000008
【図７】
2004052353.tif 000009